(57)【要約】      （修正有）【課題】簡単な構造で部品点数も少なく、製造が容易で十分な止水性を確保することができ、補修の必要のないコンクリートの誘発目地部の化粧目地材を提供する。【解決手段】コンクリートの収縮にともなうひび割れ発生を特定箇所に誘発する誘発目地材１２，１２Ａと併用されてコンクリートの誘発目地部表面に設けられる化粧目地材２０で、コンクリートの型枠の前記誘発目地部表面の内側に沿って設けられ型枠表面に密着される表面密着部２１と、この表面密着部２１と一体とされてコンクリート内に突出する内部突出部２２と、前記表面密着部２１の両側に一体とされてコンクリートとの間を止水する止水定着部２３とを備える。表面密着部２１を型枠の内面に密着させることで、表面密着部２１と一体の内部突出部２２と、両側の止水定着部２３とでコンクリートとの止水を行うようにする。【選択図】  図２
2008106491.tif 000002
【特許請求の範囲】
【請求項１】
コンクリート構造物の内部に設置されてコンクリートの収縮にともなうひび割れ発生を特定箇所に誘発する誘発目地材と併用されてコンクリートの誘発目地部表面に設けられる化粧目地材であって、
コンクリートの型枠の前記誘発目地部表面の内側に沿って設けられゴムまたは樹脂などの弾性部材で形成されて型枠表面に密着される表面密着部と、
この表面密着部と一体とされてコンクリート内に突出する内部突出部と、
前記表面密着部の両側に一体とされてコンクリートとの間を止水する止水定着部とを備えてなることを特徴とするコンクリートの誘発目地部の化粧目地材。
【請求項２】
前記表面密着部を貫通して設けられ前記型枠に固定可能かつ使用後切断可能な樹脂製ボルトを備えてなることを特徴とする請求項１記載のコンクリートの誘発目地部の化粧目地材。
【請求項３】
前記表面密着部の両側端部に、外側が密着面前方に突き出す密着片部を備えてなることを特徴とする請求項１または２記載のコンクリートの誘発目地部の化粧目地材。
【請求項４】
前記止水定着部の表面に凹凸部を設けてなることを特徴とする請求項１〜３のいずれかに記載のコンクリートの誘発目地部の化粧目地材。
【請求項５】
前記止水定着部の表面に、止水用シート材を貼り付けてなることを特徴とする請求項１〜３のいずれかに記載のコンクリートの誘発目地部の化粧目地材。
【発明の詳細な説明】
【技術分野】
【０００１】
この発明は、コンクリートの誘発目地部の化粧目地材に関し、コンクリートを打設して構築されるコンクリート構造物で、コンクリートの収縮にともなうひび割れを特定箇所に誘発させる誘発目地材と併用されて目地部表面に設けられ、補修などを必要とせずに止水性も確保してそのまま化粧目地材とすることができるようにしたものである。
【背景技術】
【０００２】
コンクリートを打設して構築されるコンクリート構造物では、セメントと水の水和反応によって発生する水和熱によりコンクリート内に熱応力が発生し、硬化にともなってひび割れが発生し、これにより、コンクリート構造物によっては漏水などの問題が発生したり、外観上の問題となる。
【０００３】
そこで、コンクリート構造物の内部の特定位置に応力が集中するように誘発目地材を設置してひび割れを発生させるとともに、コンクリート表面となる型枠当たり面に化粧目地用の面木を設置し、この特定位置に発生したひび割れを型枠除去後に取り外した面木部分で補修するようにしたり、接着剤塗布、樹脂コーキングなどを行なってコンクリート表面を仕上げるとともに、止水を行なうようにしていた。
【０００４】
しかし、型枠除去後に補修などの作業を必要とするため、作業工程が多く煩雑であり、型枠の除去だけで補修を行なうことなく、表面にひび割れが見えずしかも止水性を確保することができるものが提案されている。
【０００５】
例えば特許文献1に開示されたコンクリートクラック誘発目地材では、図５  に示すように、シールドトンネルのコンクリート壁の１次覆工１と２次覆工２に適用するもので、セグメント継ぎ目１ａに誘発目地材３の嵌合部３ａを嵌合し、この嵌合部３ａに嵌合される楔部３ｂをコンクリート２内に突き出すようにして楔部３ｂの先端にクラックを誘発させるようにし、発生するクラックを嵌合部３ａおよび楔部３ｂの誘発目地材３全体で止水するようにしている。
【０００６】
また、特許文献２に開示された土木用止水コンクリートクラック誘発目地材では、図６に示すように、誘発目地材５が目地材本体６と止水性調整欠損材７とで構成され、目地材本体６を目地本体６ａと、共廻り防止ボルト６ｂと、ワッシャ６ｃと、蝶ナット６ｄで構成して型枠８を貫通させた共廻り防止ボルト６ｂと蝶ナット６ｄとで目地材本体６ａを取り付け、この目地材本体６に鉄板の芯材７ａと、その両側の柔軟な調整欠損材本体７ｂとで構成された止水性調整欠損材７を取り付けることで、クラックを誘発させるとともに、止水性を確保できるようにしている。
【特許文献１】特開平１０−８５７９号公報
【特許文献２】特開２００２−１６１５４４号公報
【発明の開示】
【発明が解決しようとする課題】
【０００７】
このような特許文献１の誘発目地材３では、コンクリート構造物の内部にひび割れを誘発できるものの、表面に設置することができず、適用範囲に限界があるとともに、嵌合部３ａと楔部３ｂとの分割構造であり、施工が煩雑で製造も別々に製造しなければならいないという問題がある。
【０００８】
また、特許文献２の誘発目地材５では、コンクリート構造物の表面に設置できるものの、目地材本体６と止水性調整欠損材７とで構成され、それぞれも複数の素材の異なる部品で構成され、特に共廻り防止ボルト６ｂなど特殊部品を必要とし、組立が煩雑で、製造も大変になるという問題がある。
【０００９】
この発明は、かかる従来技術の問題に鑑みてなされたものであって、ひび割れを誘発する誘発目地材と併用され、簡単な構造で部品点数も少なく、製造が容易で十分な止水性を確保することができ、補修の必要のないコンクリートの誘発目地部の化粧目地材を提供しようとするものである。
【課題を解決するための手段】
【００１０】
上記課題を解決するためこの発明の請求項１記載のコンクリートの誘発目地部の化粧目地材は、コンクリート構造物の内部に設置されてコンクリートの収縮にともなうひび割れ発生を特定箇所に誘発する誘発目地材と併用されてコンクリートの誘発目地部表面に設けられる化粧目地材であって、コンクリートの型枠の前記誘発目地部表面の内側に沿って設けられゴムまたは樹脂などの弾性部材で形成されて型枠表面に密着される表面密着部と、この表面密着部と一体とされてコンクリート内に突出する内部突出部と、前記表面密着部の両側に一体とされてコンクリートとの間を止水する止水定着部とを備えてなることを特徴とするものである。
【００１１】
このコンクリートの誘発目地部の化粧目地材によれば、コンクリート構造物の内部に設置されてコンクリートの収縮にともなうひび割れ発生を特定箇所に誘発する誘発目地材と併用されてコンクリートの誘発目地部表面に設けられる化粧目地材で、コンクリートの型枠の前記誘発目地部表面の内側に沿って設けられゴムまたは樹脂などの弾性部材で形成されて型枠表面に密着される表面密着部と、この表面密着部と一体とされてコンクリート内に突出する内部突出部と、前記表面密着部の両側に一体とされてコンクリートとの間を止水する止水定着部とを備えており、表面密着部を型枠内面に密着させ、表面密着部と一体の内部突出部と、両側の止水定着部とでコンクリートとの止水を行うようにし、一体構造として部品点数を削減し、施工や製造を容易とし、型枠除去後の補修の必要をなくしている。
【００１２】
また、この発明の請求項２記載のコンクリートの誘発目地部の化粧目地材は、請求項１記載の構成に加え、前記表面密着部を貫通して設けられ前記型枠に固定可能かつ使用後切断可能な樹脂製ボルトを備えてなることを特徴とするものである。
【００１３】
このコンクリートの誘発目地部の化粧目地材によれば、前記表面密着部を貫通して設けられ前記型枠に固定可能かつ使用後切断可能な樹脂製ボルトを備えており、表面密着部を樹脂製ボルトで取り付け、使用後は切除することで簡単に仕上げられるようにしている。
【００１４】
さらに、この発明の請求項３記載のコンクリートの誘発目地部の化粧目地材は、請求項１または２記載の構成に加え、前記表面密着部の両側端部に、外側が密着面前方に突き出す密着片部を備えてなることを特徴とするものである。
【００１５】
このコンクリートの誘発目地部の化粧目地材によれば、前記表面密着部の両側端部に、外側が密着面前方に突き出す密着片部を備えており、密着部の両側の密着片部を当てて取り付けることで、一層密着性を向上し、ノロなどの付着を防止するようにし、コンクリート打設後のノロ撤去仕上げを省略できるようにしている。
【００１６】
また、この発明の請求項４記載のコンクリートの誘発目地部の化粧目地材は、請求項１〜３のいずれかに記載の構成に加え、前記止水定着部の表面に凹凸部を設けてなることを特徴とするものである。
【００１７】
このコンクリートの誘発目地部の化粧目地材によれば、前記止水定着部の表面に凹凸部を設けるようにしており、凹凸部によってコンクリートとの定着性を向上でき、一層止水性や定着性を向上できるようにしている。
【００１８】
さらに、この発明の請求項５記載のコンクリートの誘発目地部の化粧目地材は、請求項１〜３のいずれかに記載の構成に加え、前記止水定着部の表面に、止水用シート材を貼り付けてなることを特徴とするものである。
【００１９】
このコンクリートの誘発目地部の化粧目地材によれば、前記止水定着部の表面に、止水用シート材を貼り付けるようにしており、本体とは別部材の止水用シート材を用いることで、コンクリートとの定着性を向上でき、一層止水性や定着性を向上できるようにしている。
【発明の効果】
【００２０】
この発明の請求項１記載のコンクリートの誘発目地部の化粧目地材によれば、コンクリート構造物の内部に設置されてコンクリートの収縮にともなうひび割れ発生を特定箇所に誘発する誘発目地材と併用されてコンクリートの誘発目地部表面に設けられる化粧目地材で、コンクリートの型枠の前記誘発目地部表面の内側に沿って設けられゴムまたは樹脂などの弾性部材で形成されて型枠表面に密着される表面密着部と、この表面密着部と一体とされてコンクリート内に突出する内部突出部と、前記表面密着部の両側に一体とされてコンクリートとの間を止水する止水定着部とを備えて構成したので、表面密着部を型枠内面に密着させることで、表面密着部と一体の内部突出部と、両側の止水定着部とでコンクリートとの止水を行うことができる。
【００２１】
これにより、コンクリートの誘発目地部の化粧目地材を一体構造として部品点数を削減し、施工や製造を容易にすることができるとともに、型枠除去後の補修の必要も無くすことができる。
【００２２】
また、この発明の請求項２記載のコンクリートの誘発目地部の化粧目地材によれば、前記表面密着部を貫通して設けられ前記型枠に固定可能かつ使用後切断可能な樹脂製ボルトを備えて構成したので、表面密着部を樹脂製ボルトで取り付けることができるとともに、この樹脂製ボルトを使用後は切除することで簡単にコンクリート表面を仕上げることができ、施工も容易とすることができる。
【００２３】
さらに、この発明の請求項３記載のコンクリートの誘発目地部の化粧目地材によれば、前記表面密着部の両側端部に、外側が密着面前方に突き出す密着片部を備えて構成したので、密着部の両側の密着片部を当てて取り付けることで、一層密着性を向上することができ、ノロなどの付着を防止することができるとともに、コンクリート打設後のノロ撤去仕上げを省略できるようにしている。
【００２４】
また、この発明の請求項４記載のコンクリートの誘発目地部の化粧目地材によれば、前記止水定着部の表面に凹凸部を設けるようにしたので、凹凸部によってコンクリートとの定着性を向上することができ、一層止水性や定着性を向上することができる。
【００２５】
さらに、この発明の請求項５記載のコンクリートの誘発目地部の化粧目地材によれば、前記止水定着部の表面に、止水用シート材を貼り付けるようにしたので、本体とは別部材の止水用シート材を用いることで、コンクリートとの定着性を向上することができ、一層止水性や定着性を向上することができる。
【発明を実施するための最良の形態】
【００２６】
以下、この発明の実施の形態について、図面に基づき詳細に説明する。  
図１〜図３はこの発明のコンクリートの誘発目地部の化粧目地材の一実施の形態にかかり、図１は化粧目地材が設けられるコンクリート構造物の概略斜視図、図２はコンクリート構造物への設置状態の概略平面図、図３は誘発目地材とともに示す部分拡大断面図および化粧目地材の部分拡大断面図である。
【００２７】
また、図４はこの発明のコンクリートの誘発目地部の化粧目地材の他の一実施の形態にかかる誘発目地材とともに示す部分拡大断面図および化粧目地材の部分拡大断面図である。
【００２８】
このコンクリートの誘発目地部の化粧目地材（以下、単に化粧目地材とする。）２０は、コンクリート構造物１１の内部に設置して特定箇所にひび割れを誘発するための誘発目地材１２と併用してコンクリートの表面に化粧用の目地材として設置されるもので、コンクリートの打設用の型枠１３に取り付けておき、型枠除去後の補修などを必要とせずにそのまま化粧目地部とするものである。
【００２９】
この化粧目地材２０は、例えば図１に示すように、底版コンクリート１１ａと、その両側に立設される側壁コンクリート１１ｂとで構成されたコンクリート構造物１１の側壁コンクリート１１ｂに一定間隔で形成される目地部１１ｃのコンクリート表面に配置されるとともに、この化粧目地材２０は、図２に示すように、側壁コンクリート１１ｂの目地部１１ｃのコンクリートの内部に配置されて補強用の鉄筋１４などに支持される誘発目地材１２と併用して用いられる。
【００３０】
なお、誘発目地材１２は、セメントと水の水和反応によって発生する水和熱によりコンクリート内に熱応力が発生し、硬化にともなって発生するひび割れを誘発できるものであれば良く、その形状などは図示例のものに限るものでない。ここでは、側壁コンクリート１１ｂの表面側に横断面形状が角張った略Ω型の合成樹脂製の誘発目地本体１２ａの頂部外面および両側の底部外面にブチルゴム１２ｂが取り付けられ、底部外面に形成した取付孔１２ｃで鉄筋１４に取り付けることができるようにした誘発目地材１２と、横断面形状が略Ｔ型の合成樹脂製の誘発目地本体１２ｄの中間部に中間片部１２ｅが形成され、端部両側にブチルゴム１２ｆが取り付けられた誘発目地材１２Ａとを組み合わせて設置してある。
【００３１】
化粧目地材２０は、ゴムや合成樹脂などの弾性部材で一体成形されたもので、型枠１３への取付部となる板状の表面密着部２１と、この表面密着部２１の裏面中央に突出して横断面形状が２等辺三角形状に形成されてコンクート内に位置させる内部突出部２２と、表面密着部２１の裏面両側に先端側が外側に斜めに突出して形成され表面密着部２１より多少厚い止水定着部２３を備えて構成され、全体の横断面形状が略逆Ｗ字状になっている。
【００３２】
また、この表面密着部２１の表面の両側端部に外側程前方に突き出す傾斜面とされた密着片部２１ａが形成してあり、型枠１３に取り付ける場合に密着片部２１ａによって密着性を高めてコンクリートのノロが浸入して付着しないようしてある。
【００３３】
さらに、この止水定着部２３の外側表面には、コンクリートとの密着性、定着性および止水性を向上するための凹凸部２３ａがギザギザとして形成してある。
【００３４】
また、化粧目地材２０では、型枠１３に固定するため、図３に示すように、表面密着部２１に一定間隔で表裏を貫通する貫通孔が形成され、内部突出部２２の対応部が平坦に形成してあり、内部突出部２２側から合成樹脂製の樹脂製ボルト２４が挿入され、蝶ナット２５で締め付けることができるようにしてある。そして、この樹脂製ボルト２４を用いることで、型枠１３を除去後、表面密着部２１から突き出している部分をニッパーなどで切除して簡単に取り除くことができるようにしてある。
【００３５】
さらに、この発明の他の一実施の形態である化粧目地材２０Ａでは、図４に示すように、止水定着部２３の外側表面にコンクリートとの密着性、定着性および止水性を向上するため、凹凸部２３ａに替えて、止水用シート材２３ｂとしてブチルゴムシートが貼り付けてある。なお、この化粧目地材２０Ａの他の構成は、すでに説明した化粧目地材２０と同一である。
【００３６】
このように構成した化粧目地材２０、２０Ａは、コンクリート構造物１１の目地部１１ｃの内部にひび割れを誘発する誘発目地材１２，１２Ａを鉄筋１４などを利用して設置するとともに、コンクリートの目地部１１ｃの表面を形成する型枠１３に化粧目地材２０，２０Ａの表面密着部２１を当てて樹脂製ボルト２４を型枠１３を貫通させ、蝶ナット２５を締め付けて取り付ける。
【００３７】
この樹脂製ボルト２４および蝶ナット２５による締め付けで、表面密着部２１の両側の外側に突き出した密着片部２１ａが型枠１３に強固に密着し、コンクリートのノロの浸入や付着を防止することができる。
【００３８】
こうして化粧目地材２０，２０Ａを誘発目地材１２、１２Ａと併用して目地部１１ｃの表面に設置した後、コンクリートを打設する。
【００３９】
そして、コンクリートの硬化にともなう収縮によるひび割れが誘発目地材１２、１２Ａの部分に発生するが、コンクリートの目地部１１ｃの表面に化粧目地材２０，２０Ａが取り付けてあるので、表面密着部２１の内部突出部２２と止水定着部２３との間の薄肉部の伸縮でひび割れを吸収することができる。
【００４０】
また、化粧目地材２０，２０Ａの内部突出部２２および止水定着部２３がコンクリートに食い込んで固定されるとともに、止水定着部２３の外側の凹凸部２３ａのギザギザあるいは、止水用シート材２３ｂのブチルゴムシートによって一層完全にコンクリートと密着され、止水性を確保することができる。
【００４１】
こののち、コンクリートの硬化養生後、型枠１３を除去し、化粧目地材２０、２０Ａの表面から突き出している樹脂製ボルト２４を根元から切断して平坦とすることで、化粧目地が完成する。
【００４２】
この化粧目地材２０，２０Ａを取り付けて目地部１１ｃとすることで、ひび割れが外側に露出することによる外観上の問題もなく、ゴムまたは合成樹脂製としてあることにより止水性を確保することもでき、コンクリート構造物１１のひび割れによる漏水や鉄筋のサビなどの発生を抑えることができる。
【００４３】
以上のように、この化粧目地材２０，２０Ａによれば、コンクリート構造物１１の内部に設置されてコンクリートの収縮にともなうひび割れ発生を特定箇所に誘発する誘発目地材１２，１２Ａと併用されてコンクリートの誘発目地部表面に設けられる化粧目地材２０，２０Ａで、コンクリートの型枠１３の前記誘発目地部表面の内側に沿って設けられゴムまたは樹脂などの弾性部材で形成されて型枠表面に密着される表面密着部２１と、この表面密着部２１と一体とされてコンクリート内に突出する内部突出部２２と、前記表面密着部２１の両側に一体とされてコンクリートとの間を止水する止水定着部２３とを備えて構成したので、表面密着部２１を型枠１３の内面に密着させることで、表面密着部２１と一体の内部突出部２２と、両側の止水定着部２３とでコンクリートとの止水を行うことができる。
【００４４】
これにより、コンクリートの誘発目地部の化粧目地材を一体構造として部品点数を削減し、施工や製造を容易にすることができるとともに、型枠除去後の補修の必要も無くすことができる。
【００４５】
また、この化粧目地材２０，２０Ａによれば、前記表面密着部２１を貫通して設けられ前記型枠１３に固定可能かつ使用後切断可能な樹脂製ボルト２４を備えて構成したので、表面密着部２１を樹脂製ボルト２４で取り付けることができるとともに、この樹脂製ボルト２４を使用後は切除することで簡単にコンクリート表面を仕上げることができ、施工も容易とすることができる。
【００４６】
さらに、この化粧目地材２０，２０Ａによれば、前記表面密着部２１の両側端部に、外側が密着面前方に突き出す密着片部２１ａを備えて構成したので、表面密着部２１の両側の密着片部２１ａを当てて取り付けることで、一層密着性を向上することができ、ノロなどの付着を防止することができるとともに、コンクリート打設後のノロ撤去仕上げを省略できるようにしている。
【００４７】
また、この化粧目地材２０によれば、前記止水定着部２３の表面に凹凸部２３ａを設けるようにしたので、凹凸部２３ａによってコンクリートとの定着性を向上することができ、一層止水性や定着性を向上することができる。
【００４８】
さらに、この化粧目地材２０Ａによれば、前記止水定着部２３の表面に、止水用シート材２３ｂを貼り付けるようにしたので、本体とは別部材の止水用シート材２３ｂを用いることで、コンクリートとの定着性を向上することができ、一層止水性や定着性を向上することができる。
【図面の簡単な説明】
【００４９】
【図１】この発明のコンクリートの誘発目地部の化粧目地材の一実施の形態にかかる化粧目地材が設けられるコンクリート構造物の概略斜視図である。
【図２】この発明のコンクリートの誘発目地部の化粧目地材の一実施の形態にかかるコンクリート構造物への設置状態の概略平面図である。
【図３】この発明のコンクリートの誘発目地部の化粧目地材の一実施の形態にかかる誘発目地材とともに示す部分拡大断面図および化粧目地材の部分拡大断面図である。
【図４】この発明のコンクリートの誘発目地部の化粧目地材の他の一実施の形態にかかる誘発目地材とともに示す部分拡大断面図および化粧目地材の部分拡大断面図である。
【図５】従来のコンクリートクラック誘発目地材の横断面図である。
【図６】従来の土木用止水コンクリートクラック誘発目地材の横断面図である。
【符号の説明】
【００５０】
１１        コンクリート構造物
１１ａ      底版コンクリート
１１ｂ      側壁コンクリート
１１ｃ      目地部
１２        誘発目地材
１２ａ      誘発目地本体
１２ｂ      ブチルゴム
１２ｃ      取付孔
１２Ａ      誘発目地材
１２ｄ      誘発目地本体
１２ｅ      中間片部
１２ｆ      ブチルゴム
１３        型枠
１４        鉄筋
２０        誘発目地部の化粧目地材
２１        表面密着部
２１ａ      密着片部
２２        内部突出部
２３        止水定着部
２３ａ      凹凸部
２４        樹脂製ボルト
２５        蝶ナット
２０Ａ      誘発目地部の化粧目地材
２３ｂ      止水用シート材
【図１】
2008106491.tif 000003
【図２】
2008106491.tif 000004
【図３】
2008106491.tif 000005
【図４】
2008106491.tif 000006
【図５】
2008106491.tif 000007
【図６】
2008106491.tif 000008